(57)【要約】      （修正有）【課題】張力変化がなく、片手で容易に切断可能なロールペーパー切断装置を得ること。【解決手段】左右一対の側板２１と、該各側板２１に前端の連結板２２並びに下底の前側及び後側支持棒２３，２４が渡された支持部材２と、薄板製で後端末のアール面から前側が平坦面にとられた底面部と左右一対の後及び前壁面部の上端左右外側に配設されている羽部とよりなるガイド本体３１と、硬質プラスチック薄板製で上端に刃先部をもったカッター３２と、長片３３ａ頂部に水平鉤形に後方へ突出する短片３３ｂよりなる取付け板３３とを有するガイド部材３とを備え、前記連結板２２前面に固着された前記長片３３ａ上端部に前記刃先部が僅かに突出して固着され、前記短片３３ｂ上面に前記底面部が固着されているロールペーパー切断装置１である。【選択図】図１
2007014752.tif 000002
【特許請求の範囲】
【請求項１】
イ）ロールペーパー巻芯幅より僅か大きい間隔をおいた左右一対平行の側板と、該各側板に前端の連結板並びに下底の前側及び後側支持棒が渡された支持部材と、ロ）薄板製で後端末のアール面から前側が平坦面にとられた底面部と平面視において略く字形と略逆く字形で向合って壁面状に立設された左右一対の後及び前壁面部の上端左右外側に配設されている鳥の翼様の羽部とよりなるガイド本体と、硬質プラスチック薄板製で上端に沿って小ピッチ山形状の歯が刻設されている刃先部をもったカッターと、長片頂部に水平鉤形に後方へ突出する短片よりなる取付け板とを有するガイド部材とを備え、ハ）前記連結板前面に固着された前記長片上端部に前記刃先部が僅かに突出して固着され、前記短片上面に前記底面部が固着され、ニ）前記各側板、各支持棒及び連結板で囲まれた空間にロールペーパーが収納可能とされていることを特徴とするロールペーパー切断装置。
【請求項２】
請求項１に記載のロールペーパー切断装置において、各側板の各支持棒上面より上で連結板下面より下に底面に平行する切れ目を入れて、支持部材上部及びガイド部材と支持部材下部とを分離可能とし、前記各側板のいずれか一方切れ目の外側上下をヒンジにより連結し、前記ヒンジ支軸回りに前記支持部材上部及びガイド部材を纏めて左又は右外側に回動した側方側よりロールペーパーが着脱可能とされていることを特徴とするロールペーパー切断装置。
【請求項３】
請求項１に記載のロールペーパー切断装置において、一対の側板のうちの一方又は両方を上側に上向き凹の円弧状切欠面が形成された切欠側板とし、前記一方の切欠側板と向合う他方の前記側板又は切欠側板に前端の連結板と下底の各支持棒が渡されて支持部材とされ、前記各側板、各支持棒及び連結板で囲まれた空間が形成され前記切欠側板の側方側よりロールペーパーが着脱可能とされていることを特徴とするロールペーパー切断装置。
【請求項４】
各側板の後端末底部に渡って重りが固着されていることを特徴とする請求項１〜３のいずれかに記載のロールペーパー切断装置。
【請求項５】
イ）ロールペーパー巻芯幅より僅か大きい間隔をおいた左右一対平行の側板と、該各側板に後端の連結板並びに下底の前側及び後側支持棒とが渡された支持部材と、ロ）薄板製で平坦面にとられた底面部と平面視において略く字形と略逆く字形で向合って壁面状に立設された左右一対の後及び前壁面部の上端左右外側に配設されている鳥の翼様の羽部とよりなるガイド本体と、硬質プラスチック略方形薄板製で前端に沿って小ピッチ山形状の歯が刻設されている刃先部を含むカッターとよりなるガイド部材と、ハ）前記各側板の上端後部に貫通された一対の支軸を支点として回動可能な上蓋とを備え、ニ）前記底面部下面に前記カッターを重ね前記各側板底部に前記刃先部を僅かに突出して固着され、ホ）前記各側板、各支持棒、連結板及び上蓋で囲まれた空間にロールペーパーが収納可能とされていることを特徴とするロールペーパー切断装置。
【請求項６】
平面視においてガイド本体の底面部の左右幅は、後端末が最大の入口幅ｘでロールペーパーと略同幅とされ、後壁面部と前壁面部の境界の中間部は最小に縮幅した中間幅ｙに括れ、前端末は前記中間幅ｙより僅かに拡大した出口幅ｚとされ、ｘ＞ｚ＞ｙの関係にとられていることを特徴とする請求項１〜５のいずれかに記載のロールペーパー切断装置。
【請求項７】
ｚ／ｘの値が０．５〜０．９の範囲のいずれかにとられていることを特徴とする請求項６に記載のロールペーパー切断装置。
【請求項８】
入口幅ｘ、中間幅ｙ及び出口幅ｚ部分のうち少なくとも中間幅ｙ部分は、壁面部上端より底面部に向かって末広がりの底面幅ｙ′に形成されていることを特徴とする請求項６又は７に記載のロールペーパー切断装置。
【発明の詳細な説明】
【技術分野】
【０００１】
本発明は、巻芯に巻かれた長手のロールペーパー例えばトイレットペーパー、手拭きペーパー、キッチンペーパー等の使用に際し切断するための切断装置の改良に関する。
【背景技術】
【０００２】
巻芯に巻かれたロールペーパーは広く普及している。そしてロールペーパーの使用に際しては、目的に適合するような長さに切断して使用するので切断装置が不可欠である。そのため各種の切断装置が提案されている。
例えば、下記特許文献１に記載のロールペーパー切断装置は、ペーパーホルダのカバーに支持される取付部と、ロールペーパーを引出し案内する基端側の開口部から先端側開口部にすぼまるテーパー形状の筒状のガイドとを備え、回転軸を有するロールペーパーを先端側開口部からペーパー端部を指でつまんで下向きに引き出し、ガイド先端の両側板エッジ又は鋸刃でペーパーを切断している。
又特許文献２に記載のロールペーパー切断装置は、回転軸を有するロールペーパーをカバー上を後側より通し、カバー前端の切断用歯型によりペーパーを切断している。
【０００３】
【特許文献１】特許第２９９５１５８号公報
【特許文献２】特開２００４−２７５６５１号公報
【発明の開示】
【発明が解決しようとする課題】
【０００４】
前記した特許文献１に記載のロールペーパー切断装置は、ロール外径が使用により小径化し、カバーとの摩擦力が変化し、ペーパーの張力変化が生じ、そのため切断不良を起こしやすい。テーパー形状の筒状のガイドを通るペーパーはロール外径の小径化により切断角度が次第に変化し、切断不良を起こしやすい。ガイドが筒状で、ペーパーが後へ引っ込んだときには取出し難い。又やや厚手のペーパーでは、カバーとペーパーとの摩擦だけでは力が不足するので、切断作業をする方の手とは別の手で押さえる必要が生ずる。更にガイド先端の両側板エッジ又は鋸刃は、正面視において中央部が空間になっているためペーパーの幅中央部の切り損じを生じ、縦（ロールペーパー長手方向）裂きを生じやすい等数多くの課題を有している。
前記した特許文献２に記載のロールペーパー切断装置は、回転制御をカバー上を通過するペーパーの摩擦によって行なっているが、特許文献１の場合と同様にロール外径の使用小径化により、摩擦力が変化し、ペーパーの張力変化が生じ、切断不良を起こしやすい。  切断時のペーパーの安定した台がないため手で引張って切断する位置が、ロール外径の小径化により次第に下方に下がり切断損じを生じやすい。又やや厚手のペーパーでは、カバーとペーパーとの摩擦だけでは力が不足するので、特許文献１に記載のロールペーパー切断装置と同様別の手で押さえる必要が生ずる。更にカバー回転軸と壁面取付板の間の空間にペーパーを通過させているが、ロールペーパーの交換、調整作業が簡単ではない等多くの課題を有している。
これに対し本発明は、ロール外径が使用により小径化してもロールペーパーの張力変化がほとんどないので切断損じがなく、切断を全幅に対して集中して行えるので縦裂きが生ずることもなく、厚手、薄手いずれのペーパーであっても片手で容易に切断可能な、構造簡易なロールペーパー切断装置を得ることを目的とする。
【課題を解決するための手段】
【０００５】
この目的を達成するために、
請求項１の発明にあっては、イ）ロールペーパー巻芯幅より僅か大きい間隔をおいた左右一対平行の側板と、該各側板に前端の連結板並びに下底の前側及び後側支持棒が渡された支持部材と、ロ）薄板製で後端末のアール面から前側が平坦面にとられた底面部と平面視において略く字形と略逆く字形で向合って壁面状に立設された左右一対の後及び前壁面部の上端左右外側に配設されている鳥の翼様の羽部とよりなるガイド本体と、硬質プラスチック薄板製で上端に沿って小ピッチ山形状の歯が刻設されている刃先部をもったカッターと、長片頂部に水平鉤形に後方へ突出する短片よりなる取付け板とを有するガイド部材とを備え、ハ）前記連結板前面に固着された前記長片上端部に前記刃先部が僅かに突出して固着され、前記短片上面に前記底面部が固着され、ニ）前記各側板、各支持棒及び連結板で囲まれた空間にロールペーパーが収納可能とされているロールペーパー切断装置により解決した。
請求項２の発明にあっては、請求項１に記載のロールペーパー切断装置において、各側板の各支持棒上面より上で連結板下面より下に底面に平行する切れ目を入れて、支持部材上部及びガイド部材と支持部材下部とを分離可能とし、前記各側板のいずれか一方切れ目の外側上下をヒンジにより連結し、前記ヒンジ支軸回りに前記支持部材上部及びガイド部材を纏めて左又は右外側に回動した側方側よりロールペーパーが着脱可能とされているロールペーパー切断装置とすることができる。
請求項３の発明にあっては、請求項１に記載のロールペーパー切断装置において、一対の側板のうちの一方又は両方を上側に上向き凹の円弧状切欠面が形成された切欠側板とし、前記一方の切欠側板と向合う他方の前記側板又は切欠側板に前端の連結板と下底の各支持棒が渡されて支持部材とされ、前記各側板、各支持棒及び連結板で囲まれた空間が形成され前記切欠側板の側方側よりロールペーパーが着脱可能とされているロールペーパー切断装置とすることができる。
請求項４の発明にあっては、各側板の後端末底部に渡って重りが固着されていることを特徴とする請求項１〜３のいずれかに記載のロールペーパー切断装置とすることができる。
【０００６】
請求項５の発明にあっては、イ）ロールペーパー巻芯幅より僅か大きい間隔をおいた左右一対平行の側板と、該各側板に後端の連結板並びに下底の前側及び後側支持棒とが渡された支持部材と、ロ）薄板製で平坦面にとられた底面部と平面視において略く字形と略逆く字形で向合って壁面状に立設された左右一対の後及び前壁面部の上端左右外側に配設されている鳥の翼様の羽部とよりなるガイド本体と、硬質プラスチック略方形薄板製で前端に沿って小ピッチ山形状の歯が刻設されている刃先部を含むカッターとよりなるガイド部材と、ハ）前記各側板の上端後部に貫通された一対の支軸を支点として回動可能な上蓋とを備え、ニ）前記底面部下面に前記カッターを重ね前記各側板底部に前記刃先部を僅かに突出して固着され、ホ）前記各側板、各支持棒、連結板及び上蓋で囲まれた空間にロールペーパーが収納可能とされているロールペーパー切断装置により解決した。
請求項６の発明にあっては、平面視においてガイド本体の底面部の左右幅は、後端末が最大の入口幅ｘでロールペーパーと略同幅とされ、後壁面部と前壁面部の境界の中間部は最小に縮幅した中間幅ｙに括れ、前端末は前記中間幅ｙより僅かに拡大した出口幅ｚとされ、ｘ＞ｚ＞ｙの関係にとられている請求項１〜５のいずれかに記載のロールペーパー切断装置とすることができる。
請求項７の発明にあっては、ｚ／ｘの値が０．５〜０．９の範囲のいずれかにとられている請求項６に記載のロールペーパー切断装置とするのが好ましい。
請求項８の発明にあっては、入口幅ｘ、中間幅ｙ及び出口幅ｚ部分のうち少なくとも中間幅ｙ部分は、壁面部上端より底面部に向かって末広がりの底面幅ｙ′に形成されている請求項６又は７に記載のロールペーパー切断装置とするのが好ましい。
【発明の効果】
【０００７】
本発明のロールペーパー切断装置は、構造簡易でロール外径が使用により小径化しても摩擦を生ずる箇所が分散して存在するため、ロールペーパーの張力変化がほとんどないので切断損じがなく、切断を集中して行えるので縦裂きが生ずることもなく、片手でペーパーの自由前端部を掴んでほぼ水平方向に引張り、次いで下向きに曲げ刃先に当て僅かな力を加えるという単純な動作のみで容易確実に切断され、厚手、薄手いずれのペーパーであっても片手で容易に切断可能である。
【発明を実施するための最良の形態】
【０００８】
本発明の実施の形態を図面に基づき以下詳細に説明する。
図１は、本発明の第一例のロールペーパー切断装置の側面図である。
図２は、図１のロールペーパー切断装置の背面図である。
図３は、図１のロールペーパー切断装置に用いる部品図で、（ａ）（ｂ）はガイド本体、（ｃ）（ｄ）はカッターを示す。
図４は、図１のロールペーパー切断装置の使用状態を示す概略斜視図で、（ａ）当初の使用開始時、（ｂ）最終の切断時を示す。
図５は、本発明の第二例のロールペーパー切断装置の側面図である。
図６は、図５のロールペーパー切断装置に用いるガイド部材の概略斜視図である。
図７は、図５のロールペーパー切断装置に用いる部品図で、（ａ）（ｂ）（ｃ）はガイド本体、（ｄ）（ｅ）はカッターを示す。
図８は、図５のロールペーパー切断装置の使用状態を示す概略斜視図で、（ａ）当初の使用開始時、（ｂ）最終の切断時を示す。
図９は、図１のロールペーパー切断装置の変形例の簡略化例で、（ａ）概略斜視図、（ｂ）側面図である。
以下の各ロールペーパー切断装置において、ペーパーの引出し側を前、ペーパーの収納側を後とし、ロールペーパー切断装置を前側より後側をみて左右として説明する。
【０００９】
図１乃至図４を参照し本発明の第一例のロールペーパー切断装置１の構成を説明する。  ロールペーパー切断装置１は、据え置き用途に好適で、支持部材２と、ガイド部材３とよりなる。尚、使用するロールペーパーＲは、巻芯Ｒ１ とこれに巻取られたペーパーＲ２ とからなり、ペーパーＲ２ はここではトイレットペーパーについて説明するもののこれに限定されず、例えば手拭きペーパー、キッチンペーパー等であってもよく、紙質、左右幅等が異なるのみである。ここで、図１において右側がペーパー引出し側の前で、左側が後である。
支持部材２は、側板２１と、連結板２２と、前側支持棒２３と、後側支持棒２４と、選択的構成要素の重り２５を有している。
側板２１は、左右一対平行の巻芯Ｒ１ の幅より僅か大きい間隔をおいた略方形又は略台形状板材である。
連結板２２は、側板２１、２１の前端を連結し前面は平坦垂直で、後面は平坦面の組合わせで側面視が略く字形に形成されている。連結板２２は側板２１の連結と共に、ペーパーＲ２ の切断中における前側への転がり防止と、ロールペーパーＲ表面への摩擦付与の作用がある。
前側支持棒２３及び後側支持棒２４は、側板２１、２１を互いに連結する断面円形状の棒材で、前側支持棒２３は下底前寄り位置に、後側支持棒２４は下底後端位置にそれぞれ渡され、前側支持棒２３と後側支持棒２４との外面間隔は巻芯Ｒ１ の外径より僅かに狭くとられ空の巻芯Ｒ１ が下方へ落下しないよう保持可能とされる。前側支持棒２３及び後側支持棒２４は、未使用最大径のロールペーパーＲの荷重を支え、使用時にはペーパーＲ２ に適度の張力を付与するようロールペーパーＲ表面との摩擦が円滑に得られればよく、断面は円形状に限定されず、ペーパーＲ２ との接触部分が湾曲面に形成されていればよい。  重り２５は、必須構成要素ではないが、側板２１、２１の後端末底部に渡って固着された重量物で、ロールペーパー切断装置１の作動時にぐらつかないようにする安定化のために有効であり、例えば３００〜５００ｇの重量物で鉄などの金属を用いるのが好ましい。  側板２１、連結板２２、前側支持棒２３、後側支持棒２４は、硬質プラスチック、金属、木等が用い得る。金属の場合は、アルミ、鋼にメッキしたもの、ステンレス、アルミ等とするのが好ましいが、コスト、重量、美観面からは硬質プラスチックが最も好ましい。  
【００１０】
ガイド部材３は、ガイド本体３１と、カッター３２と、取付け板３３とを有している。  ガイド本体３１は、プラスチック又は金属薄板製、例えば半硬質プラスチックの厚さ１〜２ｍｍ薄板材又はステンレス・アルミ等の厚さ０．４〜１ｍｍの薄板材製で、底面部３１ａ、後壁面部３１ｂ、前壁面部３１ｃ及び羽部３１ｄを有している。
底面部３１ａは後端末にアールが付けられている他は全体平坦面にとられ、左右一対の後壁面部３１ｂ及び前壁面部３１ｃとによって平面視において屈曲した右略く字形と左略逆く字形に向合った壁面状に形成され、後壁面部３１ｂと前壁面部３１ｃとが１５〜３０ｍｍ立上がった上端に左右一対の羽部３１ｄが鳥の翼様に左右外側に広げて配設されている。ここで、後壁面部３１ｂと前壁面部３１ｃと左右の羽状部３１ｄとの連結部は解舒ペーパーＲ３ の移動が円滑に行えるように緩やかにアールが付けられ、左右の羽部３１ｄの存在は移動するペーパーＲ３ の引掛かり防止に有効である。平面視において底面部３１ａの左右幅は、後端末は最大の入口幅ｘでペーパーＲ２ と略同幅とされ、後壁面部３１ｂと前壁面部３１ｃの境界の中間部は最小に縮幅した中間幅ｙに括れ、前端末は幅ｙより僅かに拡大した出口幅ｚとされいる。ここで、ｘ＞ｚ＞ｙの関係にとられている。ｚ／ｘの値は０．５〜０．９の範囲にあるようにとるのが好ましく、０．５より小さいと皺が多くなり後述する切断後の使用ペーパーＲ４ における幅復元力が弱くなり、０．９より大きいと片手で掴み難くく縦裂きを生ずることがある。
上記中間幅ｙは平面視の寸法で、上部の中間幅ｙ部分より底面部３１ａへ数ミリ乃至１０ミリ程度末広がりに拡大し底面幅ｙ′とするのが好ましい。ここで、ｘ＞ｚ＞ｙ′＞ｙの関係にとられている。末広がりの底面幅ｙ′にするのは、ペーパーＲ２ が堅目の紙質のとき等には移動中に張力によって跳上がることがあり、その防止策として有効であるからである。又この末広がりは出口幅ｚ及び／又は入口幅ｘ部分に設けてもよいが、中間幅ｙ部分に設けるのが最も効果的である。
カッター３２は、硬質プラスチック好ましくはポリアクリルの通常厚さ３〜５ｍｍ、高さ２５〜４０ｍｍ、幅は前記出口幅ｚより僅かに大きい略長方形薄板材製で、上端に沿って小ピッチ山形状の歯が刻設された刃先部３２ａは角度４５度〜６０度例えば５０度前後の片刃とされ，下方に取付け板３３との固着用ねじ孔３２ｂが穿設されている。ここで、カッター３２を金属製とすると切断時に怪我を招く危険性があるので好ましくない。又刃先部３２ａは片刃に限定されず、両刃であってもよいが、角度は４５度より小さいと切断不十分であり、６０度を超えると安全面で問題である。
取付け板３３は、前記側板２１等と同じ材質で、上下長手の長片３３ａの頂部に後方へ短片３３ｂが水平鉤形に突出されている。
尚、前壁面部３１ｃの出口側下部に僅かの切込み部３１ｅを設けることにより、ロールペーパー切断装置１の組立て時において、カッター３２の刃先部３２ａの両端部が露出しないようにして、使用の際不用意に手先が当たった場合等の保護対策として有効であり好ましい。
【００１１】
次に、図１、図２を参照してロールペーパー切断装置１の組立てを順次説明する。
左右平行においた一対の側板２１、２１の対応する底部に穿設した開口部に前側支持棒２３及び後側支持棒２４を圧入し、側板２１、２１の対応する前端に連結板２２を渡してそれぞれ固着し、平坦垂直な連結板２２の前面に長片３３ａをボルト、ビス等の固着具又は接着剤等によって固着し、短片３３ｂが後向きでほぼ水平状態に突出しておかれる。
取付け板３３の短片３３ｂ上面にガイド部材３のガイド本体３１を出口幅ｚの前端末を前側にし、入口幅ｘの後端末を後側にして載置し、底面部３１ａの前側を固着具又は接着剤等によって短片３３ｂの上面と固着する。
更に、取付け板３３の長片３３ａの前面上端部に、カッター３２の刃先部３２ａが僅かに例えば５〜１０ｍｍ程度ガイド本体３１の出口幅ｚ前端末上面から突出した位置にあるようにして固着用ねじ孔３２ｂにボルト、ビス等の固着具を螺合するか又は接着剤等により固着することによって、ロールペーパー切断装置１の組立てを完了する。
【００１２】
次に、図１、図４を参照してロールペーパー切断装置１の使用態様を説明する。
本例は、据え置き用途として通常テーブル、調理台等の平坦面に載置して用いる。
先ず使用開始前の準備段階においては、各側板２１、前側支持棒２３、後側支持棒２４、及び連結板２２で囲まれた空間に未使用のロールペーパーＲを収納し、図１に二点鎖線で示すとおり、巻芯Ｒ１ に巻取られたペーパーＲ２ の最外層から巻戻した解舒ペーパーＲ３ を、ガイド本体３１の後端末の入口幅ｘ、中間幅ｙ及び出口幅ｚの順に順次底面部３１ａに渡らせて、図４（ａ）の当初の使用開始時の状態にしておく。
次いで、片手の指Ｆで解舒ペーパーＲ３ の自由前端部を寄せて掴んでほぼ水平方向にカッター３２の刃先部３２ａが作用しないようにして引張ると、解舒ペーパーＲ３ の後続部分はガイド本体３１の入口幅ｘ、中間幅ｙ（底面幅ｙ′）及び出口幅ｚの各部分を通過案内されて幅目一杯に広がりながら後側から前側へ矢印Ｙ方向に移動するが、解舒ペーパーＲ３ は全幅から幅を縮小し、前側支持棒２３及び後側支持棒２４に支持されたロールペーパーＲは矢印Ｘ方向に円滑に回動する。
解舒ペーパーＲ３ を使用目的に適合するよう所望長さだけ指Ｆでほぼ水平方向に引出した後、図４（ｂ）に示すとおり、指Ｆにより解舒ペーパーＲ３ の自由前端部を下向きに曲げカッター３２の刃先部３２ａに当て僅かに力を加えて解舒ペーパーＲ３ を切断する。このとき、解舒ペーパーＲ３ は刃先部３２ａの幅全体に当たって力が一気に集中して加わるので縦割れすることなく、容易に使用ペーパーＲ４ として分離することができる。分離後の使用ペーパーＲ４ は、指Ｆで掴んだ下方部分と刃先３２ａで切断された部分とで略三角形状を呈してはいるが、下方部分近傍に長手方向に筋が整然として発生しているのみで残余部分はほぼ平坦で、使用の際には分離前の元の解舒ペーパーＲ３ とのほぼ同様の幅に容易に復元し全体として美麗に保たれる。
ここで、ロールペーパーＲは巻戻しの過程で、前側支持棒２３、後側支持棒２４、連結板２２及びガイド本体３１の各表面と接触して摩擦を生じながら回転するので、ロール外径が使用により変化しても分散された摩擦により張力変化がほとんど生ずることがない。  以上詳述したが、要するに片手の指Ｆで解舒ペーパーＲ３ の自由前端部を掴んでほぼ水平方向に引張り、次いで下向きに曲げ刃先３２ａに当て僅かな力を加えるという単純な動作のみで容易確実に切断され、所望する長さの使用ペーパーＲ４ を得ることができる。
【００１３】
次に詳細の図示省略するが、第一例の変形例のロールペーパー切断装置を説明する。該変形例の構成は、第一例のロールペーパー切断装置１と同様の構成に壁取付け用途として一部構成を付加したものである。
本変形例は図１、図２に示すとおり、ロールペーパー切断装置１の側板２１、２１の前側支持棒２３及び後側支持棒２４上面より上で連結板２２下面より下に底面に平行して一点鎖線ＺＺ線に示す位置に切れ目を入れて上下に分割し、支持部材２のＺＺ線上部とそれに固着されたガイド部材３と、支持部材２のＺＺ線下部とを分離可能とし、左右の側板２１のいずれか一方の切れ目外側をヒンジによって上下を連結し、該ヒンジの支軸回りに支持部材２上部及びガイド部材３を纏めて左又は右外側に回動可能としている。
本変形例は、ロールペーパー切断装置としての構成、使用態様はロールペーパー切断装置１と全く同様であるので説明省略するが、壁面にブラケット等を用いて後側を固着して壁取付け用途として使用する際には、ロールペーパーＲの入替えは後側が塞がれているため出来ないので、前記ヒンジの支軸回りに支持部材２上部及びガイド部材３を纏めて左又は右外側に回動退避させることにより新しいロールペーパーＲに容易に入替えることができる。
【００１４】
図５乃至図８を参照し本発明の第二例のロールペーパー切断装置５の構成を説明する。  ロールペーパー切断装置５は、壁取付け用途に好適で、支持部材６と、ガイド部材７と上蓋８とよりなる。尚、使用するロールペーパーＲは前記ロールペーパー切断装置１と同様のものを用いて説明するがこれに限定されない。ここで、図５において左側がペーパーの引出し側の前で、右側が後である。
支持部材６は、側板６１と、連結板６２と、前側支持棒６３と、後側支持棒６４とを有している。側板６１は、左右一対が平行に巻芯Ｒ１ の幅より僅かに大きい間隔をおいた略台形状板材である。連結板６２は、側板６１、６１の後端を連結し、前後面共平坦垂直状で、本例では側板６１の後面から食み出さず面一にして固着されているが、これに限定されず、後面の外側に食み出して固着してもよい。
前側支持棒６３及び後側支持棒６４は、側板６１、６１を互いに連結する断面円形状の棒材で、前側支持棒６３は下底中央部前寄り位置に、後側支持棒６４は下底中央部後寄り位置にそれぞれ渡されれているが、前側支持棒２３及び後側支持棒２４と同様の構成とされている。
【００１５】
ガイド部材７は、ガイド本体７１と、カッター７２とを有している。ここで、カッター７２は取付け板と一体化しているが分離して別体とすることができる。
ガイド本体７１は、前記ガイド本体３１と同じプラスチック又は金属薄板材製で、底面部７１ａと後壁面部７１ｂ、前壁面部７１ｃ及び羽部７１ｄを有している。
底面部７１ａは全体平坦面にとられ、左右一対の後壁面部７１ｂ及び前壁面部７１ｃとによって平面視において屈曲した右略く字形と左略逆く字形に向合った壁面状に形成され、各壁面部７１ｂ、７１ｃとが１０〜３０ｍｍ立上がった上端に左右一対の羽部７１ｄが鳥の翼様に左右外側に広げて配設されている。羽部７１ｄの後端末側面にはねじ孔７１ｅが穿設されている。
ここで、前記ロールペーパー切断装置１と比べるとロールペーパー切断装置５は壁取付け用途で前後奥行きが多く取れないので、屈曲がやや少な目の緩やかな形状にとられている他は前記ロールペーパー切断装置１のガイド本体３１とほぼ同様である。底面部７１ａの左右幅は、後端末は最大の入口幅ｘでペーパーＲ２ と略同幅とされ、後壁面部７１ｂ及び前壁面部７１ｃの中間部は最小に縮小した中間幅ｙで、前端末は幅ｙより僅かに拡大した出口幅ｚとされ、ｘ＞ｚ＞ｙの関係にとられている。ｚ／ｘは０．５〜０．９の範囲にあるようにとるのがトラブルが少ない。
上部を入口幅ｘ、中間幅ｙ及び出口幅ｚとして、前記ガイド本体３１と同様に、底面部７１ａへ中間幅ｙ部分を数ミリ乃至１０ミリ程度末広がりに拡大するか、更に入口幅ｘ、及び／又は出口幅ｚ部分をも数ミリ乃至１０ミリ程度末広がりに拡大するかすることにより跳上がり防止に有効である。
又前壁面部７１ｃの出口側下部に僅かの切込み部７１ｆを設けると、前記ガイド本体３１における切込み部３１ｅと同様に好ましい。
カッター７２は、前記カッター３２と同じ材質、厚さで、略方形板状の取付け部７２ｂと、該取付け部７２ｂの一方長辺側中央部にカッター３２と同じ幅及び刃形形状の刃先部７２ａが一体に設けられている。ここで、略方形板状の取付け板とカッター３２と同様の刃先を含むカッターとを別体とし、取付け板に切込みを設けそこにカッターを固着する構成としてもよく、このときは取付け板はとカッターと別材料とすることができる。
上蓋８は、左右の側板６１の上端後部に貫通された一対の支軸８ａを支点として回動可能な略方形体状又は板状材であり、未使用最大径のロールペーパーＲから空になった最小径の巻芯Ｒ１ に至るまで表面に接触して適度の荷重を掛け、前側支持棒６３と後側支持棒６４の間に載置されたロールペーパーＲの直径が変化しても自重プラス上蓋８の荷重によって摩擦力を維持して空転しないようしている。
【００１６】
次に、図５乃至図８を参照しロールペーパー切断装置５の組立てを順次説明する。
左右平行一対の側板６１、６１の対応する底部に穿設した開口部に前側支持棒６３及び後側支持棒６４を圧入し、側板６１、６１の対応する後端に連結板６２を渡してそれぞれ固着し、上蓋８を側板６１、６１の上端後部に貫通された支軸８ａを支点として回動可能に取り付ける。
他方、ガイド本体７１の底面部７１ａ下面にカッター７２を重ね、底面部７１ａ前端末の出口幅ｚ部分から刃先部７２ａが前側に突出した位置において、底面部７１ａとカッター７２を固着具又は接着剤により固着し、ガイド部材７を組立てる。
そしてカッター７２の取付け部７２ｂを側板６１、６１の下底部内側に、及び羽部７１ｄをねじ孔７１ｅにより側板６１、６１の中間部内側に固着具又は接着剤により固着しロールペーパー切断装置５の組立てを完了する。
組立後のロールペーパー切断装置５は、底面部７１ａの出口幅ｚ部分及び刃先部７２ａはいずれも左右側板６１、６１の前端面より前側へ飛出してはいるが、刃先部７２ａの方が出口幅ｚ部分より僅かに前におかれ解舒ペーパーＲ３ の切断が有効に作用する。
【００１７】
次に、図８を参照してロールペーパー切断装置５の使用態様を説明する。
本例は、壁取付け用途として通常側板６１、６１及び／又は連結板６２の後側を壁面にブラケット等を用いて固着して使用する。
先ず使用開始前の準備段階においては、各側板６１、前側支持棒６３、後側支持棒６４、連結板６２及び上蓋８で囲まれた空間に未使用のロールペーパーＲを収納し、図５に二点鎖線で示すとおり、巻芯Ｒ１ に巻取られたペーパーＲ２ の最外層から巻戻した解舒ペーパーＲ３ を、ガイド本体７１の後端末の入口幅ｘ、中間幅ｙ及び出口幅ｚの順に順次渡らせて、図８（ａ）の当初の使用開始時の状態にしておく。
次いで、片手の指Ｆで解舒ペーパーＲ３ の自由前端部を寄せて掴んでほぼ水平方向に刃先部７２ａが作用しないようにして引張ると、解舒ペーパーＲ３ の後続部分はガイド本体７１の入口幅ｘ、中間幅ｙ及び出口幅ｚの各部分を通過案内されて幅目一杯に広がりながら後側から前側へ矢印Ｑ方向に移動し幅を縮小し、前側支持棒６３及び後側支持棒６４に支持されたロールペーパーＲは矢印Ｐ方向に円滑に回動する。
解舒ペーパーＲ３ を使用目的に適合するような長さだけほぼ水平方向に引出した後、図８（ｂ）に示すとおり、指Ｆにより解舒ペーパーＲ３ の自由前端部を下向きに曲げ刃先部７２ａに当て僅かに力を加えて解舒ペーパーＲ３ を切断する。このとき、解舒ペーパーＲ３ は刃先部７２ａの幅全体に当たって力が一気に集中して加わるので縦割れすることなく、容易に使用ペーパーＲ４ として分離することができる。分離後の使用ペーパーＲ４ は、前記ロールペーパー切断装置１で詳述したと同様に分離前の元の解舒ペーパーＲ３ と同じ幅に容易に復元し美麗に保たれる。又ロールペーパーＲの張力変化も上蓋８が加わって殆ど生ずることがない。
【実施例１】
【００１８】
ガイド本体３１を厚さ１ｍｍの半硬質のポリプロピレン製薄板材により入口幅ｘを１１０ｍｍ、中間幅ｙを６０ｍｍ、出口幅ｚを７０ｍｍ、底面幅ｙ′を６６ｍｍにとり、前後長さを９５ｍｍ、高さを入口３０ｍｍ、出口２５ｍｍにとった。カッター２３は、硬質のポリアクリルの略長方形薄板材製で厚さ３ｍｍ、幅８０ｍｍで、刃先部３２ａは角度５０度の片刃とした。ｚ／ｘは０．６３６であった。このロールペーパー切断装置１を据え置き用途に、外径１１０ｍｍ、内径４５ｍｍ、幅１１０ｍｍのトイレット用ロールペーパーＲを用いて、繰返し切断を試みたが、片手で未使用のロールペーパーから空に至るまで縦裂きその他切断損じが殆ど発生せず、使用ペーパーＲ４ は分離前の元の解舒ペーパーＲ３ と同じ幅に容易に復元し美麗に保たれた。
【実施例２】
【００１９】
ガイド本体７１を厚さ１ｍｍの半硬質のポリプロピレン製薄板材により入口幅ｘを１１０ｍｍ、中間幅ｙを５５ｍｍ、出口幅ｚを５８ｍｍ、中間幅ｙ部分の末広がりの底面幅を６０ｍｍにとり、前後長さを４２ｍｍ、高さを入口３０ｍｍ、出口１３ｍｍにとった。カッター７２は、硬質のポリアクリルの略長方形薄板材製で厚さ３ｍｍ、幅７２ｍｍで、刃先部７２ａは角度５０度の片刃とした。ｚ／ｘは０．５２７であった。このロールペーパー切断装置５を壁取付け用途に実施例１のロールペーパーＲを用いて、繰返し切断を試みたが、実施例１と同様片手で殆ど失敗なく切断できた。
【００２０】
次に図９を参照して、前記した第一例の変形例の使い勝手を簡略化した例としてロールペーパー切断装置１′を説明する。図９（ａ）は図４とは視点を変えて左側面より視た斜視図で示し、図９（ｂ）は図１と同じ側面図で示してある。
ロールペーパー切断装置１′は前記した第一例の変形例と同じく、壁面にブラケット等を用いて後側を固着して壁取付け用途として使用されるが、前記ロールペーパー切断装置１の一部構成を変更したのみであり、大部分の同様の構成には同一符号を付し詳細説明は省略する。
又、別にロールペーパー切断装置１′の下方に予備の未使用ロールペーパーＲの収納箱９が設けられているが、これは必須のものではなく好ましい選択的構成である。
ロールペーパー切断装置１′は支持部材２′とガイド部材３とよりなる。支持部材２′は、前記支持部材２の側板２１の左右一対のうちの一方（本例では左側）が切欠側板２６に変えられ、他方（本例では右側）は側板２１と同じとされている他は支持部材２と同じ構成である。又他方の側板２１も一方の切欠側板２６と向合った同一構成としてもよい。  切欠側板２６は、側板２１と同じ素材の板材製で、未使用ロールペーパーＲが左側方より出入れ可能なように側板２１の上側を上向き凹に切除して、ロールペーパーＲの外径を僅かに超える直径例えば１２０ｍｍの円弧状の切欠面２６ａが形成され、組立て時に右側の側板２１と向合う部分が開口状態におかれている。そしてロールペーパー切断装置１と同様に、左側の切欠側板２６と右側の側板２１とが平行におかれ、前側支持棒２３、後側支持棒２４及び連結板２２によって組立てられて空間が形成され、左側より新しい未使用のロールペーパーＲを容易に入替えることができる。
切欠側板２６を右側又は左右両側においたときは、右側又は両側からロールペーパーＲを容易に入替えることができる。
【００２１】
収納箱９は、ロールペーパー切断装置１′の後側を壁面に固着して取付けた場合、通常底面の下方にはスペースがあり、このスペースを利用して予備の未使用ロールペーパーＲを収納可能としたものである。
収納箱９は、左右一対平行の切欠側板９１、９１に、下底の前側支持棒９３及び後側支持棒９４と上端の後側支持棒９５とが渡され、切欠側板９１、９１の内底面には前側支持棒９３及び後側支持棒９４の直上位置に沿って切欠側板９１、９１前端より後端にまで渡った受け皿９２が固着されている。受け皿９２は、側面視においてロールペーパーＲの曲率と略同じ直径例えば１２０ｍｍ前後の上向き凹の円弧状のプラスチック又は金属板材製とされている。受け皿９２には、ロールペーパーＲを円滑に出入れし易いように前端面に僅かに下向きの小アール面を有する張出し部９２ａを設けるのが好ましい。又切欠側板９１、９１には、収納箱９にロールペーパーＲを収納したとき、巻芯Ｒ１ の左右を外側から手先で操作して出入れをし易いように、開口部として前側に向かって横向き円弧状の切欠面９１ａが形成されている。この切欠面９１ａは、必ずしも円弧状でなくてもよく、例えば開口部を前側にした横向きのＵ字形、単冊形又は楕円形の一部の形状であってもよい。  そして、この収納箱９の上面はロールペーパー切断装置１′の底面と略同大にとられ、ロールペーパー切断装置１′の底面近傍の壁面に設置することにより、ロールペーパー切断装置１′の底面と、切欠側板９１、９１及び受け皿９２に囲まれて形成された空間に切欠面９１ａの左右より予備の未使用ロールペーパーＲを簡易に出入れすることが可能である。
更に収納箱９は、前側に開口部を有する箱体に受け皿及び切欠側を付加する構成としてもよい。
【産業上の利用可能性】
【００２２】
本発明のロールペーパー切断装置は第一例のロールペーパー切断装置は据え置き用途に、第一例の変形例及び簡略例並びに第二例は壁取付け用途にそれぞれ利用可能である。
【図面の簡単な説明】
【００２３】
【図１】本発明の第一例のロールペーパー切断装置の側面図である。
【図２】図１のロールペーパー切断装置の背面図である。
【図３】図１のロールペーパー切断装置に用いる部品図で、（ａ）ガイド本体の平面図、（ｂ）ガイド本体の側面図、（ｃ）カッターの正面図、（ｄ）カッターの側面図である。
【図４】図１のロールペーパー切断装置の使用状態を示す概略斜視図で、それぞれ（ａ）当初の使用開始時、（ｂ）最終の切断時を示す。
【図５】本発明の第二例のロールペーパー切断装置の側面図である。
【図６】図５のロールペーパー切断装置に用いるガイド部材の概略斜視図である。
【図７】図５のロールペーパー切断装置に用いる部品図で、（ａ）ガイド本体の平面図、（ｂ）ガイド本体の正面図、（ｃ）ガイド本体の側面図、（ｄ）カッターの平面図、（ｅ）カッターの正面図である。
【図８】図５のロールペーパー切断装置の使用状態を示す概略斜視図で、それぞれ（ａ）当初の使用開始時、（ｂ）最終の切断時を示す。
【図９】図１のロールペーパー切断装置の変形例の簡略化例で、（ａ）概略斜視図、（ｂ）側面図である。
【符号の説明】
【００２４】
１、１′、５  ロールペーパー切断装置
２、２′６  支持部材
２１、６１  側板
２２、６２  連結板
２３、６３、９３  前側支持棒
２４、６４、９４  後側支持棒
２６、９１  切欠側板
２６ａ、９１ａ  切欠面
３、７  ガイド部材
３１、７１  ガイド本体
３１ａ、７１ａ  底面部
３１ｂ、７１ｂ  後壁面部
３１ｃ、７１ｃ  前壁面部
３１ｄ、７１ｄ  羽部
３１ｅ、７１ｆ  切込み部
３２  カッター  
３３  取付け板
３３ａ  長片
３３ｂ  短片
８  上蓋
Ｒ  ロールペーパー
Ｒ１   巻芯
Ｒ２ 〜Ｒ４   ペーパー
ｘ  入口幅
ｙ  中間幅
ｙ′底面幅
ｚ  出口幅
【図１】
2007014752.tif 000003
【図２】
2007014752.tif 000004
【図３】
2007014752.tif 000005
【図４】
2007014752.tif 000006
【図５】
2007014752.tif 000007
【図６】
2007014752.tif 000008
【図７】
2007014752.tif 000009
【図８】
2007014752.tif 000010
【図９】
2007014752.tif 000011